(57)【特許請求の範囲】
【請求項１】
災害が発生した場合に乗りかごが災害対策用の動作を行うように予め設定されたエレベータであって、
前記乗りかご内の全体の様子を撮影するのに適した位置に配置されるかご内撮影部と、
前記エレベータの動作モードを通常モードまたは、乗りかごの災害対策用の動作をテスト実行させる点検モードに切り替えるモード切替部と、
前記モード切替部を有する機械室に設けられ、前記かご内撮影部によって撮影された映像を表示する表示部と、
を備え、
前記かご内撮影部は、
前記動作モードが前記通常モードから、前記乗りかごの災害対策用の動作をテスト実行させる点検モードへと切り替えられたときに、かご操作盤の表示画面であって、乗りかごが災害対策用の動作を行うときには乗客に対する報知のための表示がなされる表示画面と、乗りかごが災害対策用の動作を行うときには乗りかごが着床した最寄階において開かれる乗りかご扉及び乗場扉とを、撮影するように撮影位置が変更されることを特徴とするエレベータ。
【請求項２】
請求項１に記載のエレベータにおいて、
前記かご内撮影部は、前記乗りかご内の映像を音声とともに撮影し、
前記災害対策用の動作は、前記災害が発生していることを前記乗りかご内の乗客に対して報知するための音声案内であることを特徴とするエレベータ。
【発明の詳細な説明】
【技術分野】
【０００１】
本発明は、エレベータに係り、特に、災害が発生した場合に乗りかごが災害対策用の動作を行うように予め設定されたエレベータに関する。
【背景技術】
【０００２】
現在、商業施設等の様々な場所において、エレベータが設置されている。そして、地震や火災等といった災害が発生した際に、エレベータを利用している乗客の安全を確保するために種々の対策が講じられている。例えば、災害が発生した際の災害対策用の動作として、最寄階に乗りかごを停止させて扉開させるといった動作がある。また、このとき、乗りかご内のかご操作盤の表示画面に災害が発生している旨を視覚的に表示するといった動作もある。これにより、乗りかご内の乗客が乗りかごから降車して、非常階段等を利用して非難することも可能である。
【０００３】
本発明に関連する技術として、例えば、特許文献１には、地震によってエレベータが停止した時に点検運転を行って異常の有無を診断し、異常が無ければ復旧させるようにしたエレベータの地震時復旧装置が開示されている。そして、エレベータのかご、機械室及び昇降路の少なくとも一つに設けられ、点検運転時にエレベータの各機器を撮影する監視カメラと、上記監視カメラからの映像情報を入力する映像監視装置とを備えることが開示されている。そして、上記映像監視装置にインターネット網を介して接続され、予め保守会社から地震復旧対応の教育を受けたビルオーナー、管理人、住民等の一般人が使用する端末を備えることが開示されている。さらに、上記端末は、かご位置に対応した各機器の正常時を記憶した映像と、点検運転時の映像を表示することができ、正常時の記憶映像と点検運転時の映像を比較することにより異常の有無を判断できると述べられている。
【先行技術文献】
【特許文献】
【０００４】
【特許文献１】特開２００８−１４９４号公報
【発明の概要】
【発明が解決しようとする課題】
【０００５】
上記のように、エレベータには、種々の災害対策用の動作が予め設定されていることがあるが、エレベータを長期間使用するためには、定期的にこれらの動作についても点検を行う必要がある。ところで、エレベータの点検作業を行う際には、機械室において、エレベータの動作モードを通常モードから点検モードに切り替えて、巻上機等について点検を行う場合があるが、このとき災害対策用の動作についても点検できると便利である。
【０００６】
本発明の目的は、機械室において、エレベータの災害対策用の動作を点検することを可能とするエレベータを提供することである。
【課題を解決するための手段】
【０００７】
本発明に係るエレベータは、災害が発生した場合に乗りかごが災害対策用の動作を行うように予め設定されたエレベータであって、前記乗りかご内の全体の様子を撮影するのに適した位置に配置されるかご内撮影部と、前記エレベータの動作モードを通常モードまたは、乗りかごの災害対策用の動作をテスト実行させる点検モードに切り替えるモード切替部と、前記モード切替部を有する機械室に設けられ、前記かご内撮影部によって撮影された映像を表示する表示部と、を備え、前記かご内撮影部は、前記動作モードが前記通常モードから、前記乗りかごの災害対策用の動作をテスト実行させる点検モードへと切り替えられたときに、かご操作盤の表示画面であって、乗りかごが災害対策用の動作を行うときには乗客に対する報知のための表示がなされる表示画面と、乗りかごが災害対策用の動作を行うときには乗りかごが着床した最寄階において開かれる乗りかご扉及び乗場扉とを、撮影するように撮影位置が変更されることを特徴とする。
【００１１】
本発明に係るエレベータにおいて、前記かご内撮影部は、前記乗りかご内の映像を音声とともに撮影し、前記災害対策用の動作は、前記災害が発生していることを前記乗りかご内の乗客に対して報知するための音声案内であることが好ましい。
【発明の効果】
【００１２】
上記構成によれば、動作モードが通常モードから点検モードに切り替えられたときに、乗りかごの災害対策用の動作を撮影した映像が機械室に設けられる表示部に表示される。これにより、保守作業員は機械室において、当該映像を見ることで乗りかごの災害対策用の動作を点検することができる。
【図面の簡単な説明】
【００１３】
【図１】本発明に係る実施の形態において、エレベータを示す図である。
【図２】本発明に係る実施の形態において、エレベータの災害対策用の動作についての点検を行う手順を示すフローチャートである。
【発明を実施するための形態】
【００１４】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１５】
図１は、エレベータ１０を示す図である。エレベータ１０は、主ロープ１２と、釣合錘１４と、巻上機１６と、制御盤１８と、乗りかご２０と、乗場扉２８と、昇降路３０と、保守装置３６とを有する。また、エレベータ１０は、乗りかご２０を各階２７の間を昇降させることで乗客を移動させる。
【００１６】
主ロープ１２は、乗りかご２０を吊るすためのロープであり、巻上機１６に巻き掛けられている。そして、主ロープ１２の一方端は乗りかご２０に接続され、他方端は釣合錘１４が接続されている。
【００１７】
釣合錘１４は、主ロープ１２の他方端に接続され、主ロープ１２の一方端に接続される乗りかご２０との間でバランスを取るために必要な重量が設定される。
【００１８】
巻上機１６は、制御盤１８の制御によって、巻き掛けられた主ロープ１２を駆動させることで乗りかご２０を昇降させるための装置である。巻上機１６は、機械室８に配置されている。
【００１９】
制御盤１８は、乗りかご２０の昇降速度や運行管理等を含んだエレベータ１０全体の運行に関する制御を行う装置である。制御盤１８は、動作モードが通常モードのときは、通常通りの運行制御を行う。また、制御盤１８は、動作モードが点検モードのときは、保守点検のための運行制御を行い、例えば、エレベータ１０（乗りかご２０）の災害対策用の動作について点検するための制御についても行われる。なお、制御盤１８は、機械室８に配置されている。
【００２０】
ここで、エレベータ１０が設置される施設が災害（例えば、地震）にあったときに備え、乗りかご２０の災害対策用の動作が予め設定されている。乗りかご２０の災害対策用の動作とは、例えば、図示しない災害検知センサによって災害が発生したことが検知されたときに、乗りかご２０を最寄階に着床させて乗りかご扉２６及び乗場扉２８と開くとともに、かご操作盤２４の表示画面２４２に「災害が発生していますので降車してください」と表示し、また、音声によっても同様の内容を報知する動作である。
【００２１】
そして、制御盤１８は、点検モードとなったときの、乗りかご２０の災害対策用の動作について点検するための制御として、上記災害検知センサに擬似の災害検知信号を与えることで、乗りかご２０の災害対策用の動作をテストで実行させる。
【００２２】
乗りかご２０は、制御盤１８の制御によって、巻上機１６が作動すると昇降路３０内を昇降し、乗客を乗せるための構造物である。乗りかご２０は、かご内カメラ２２と、かご操作盤２４と、乗りかご扉２６とを含む。
【００２３】
かご内カメラ２２は、乗りかご２０内の様子を乗りかご２０内の音声とともに撮影するカメラであり、その撮影された映像データは、制御盤１８及び保守装置３６に伝送させる。また、かご内カメラ２２は、乗りかご２０内の全体の様子を撮影するのに適した位置、例えば、天井部の角部周辺に配置することができる。
【００２４】
かご操作盤２４は、乗りかご２０内に乗り込んだ乗客が行先階を選択したり、乗りかご扉２８を開閉したりするための押釦が配置されている。また、かご操作盤２４には、上記押釦の他に、乗りかご２０が位置している階やその他の情報を表示する表示画面２４２が取り付けられている。
【００２５】
乗りかご扉２６は、乗りかご２０に設けられる扉であり、乗りかご２０が各階２７に着床した際に、当該着床階２７の乗場扉２８とともに開く。これにより、乗客が乗りかご２０に対して乗り降りすることができる。
【００２６】
乗場扉２８は、各階２７の乗場に設けられる扉であり、乗りかご２０が着床した際に、乗りかご扉２６とともに開く。これにより、乗客が乗りかご２０に対して乗り降りすることができる。
【００２７】
保守装置３６は、本体部３１と、切替スイッチ部３２と、表示部３４とを含む。保守装置３６は、保守作業員が行うエレベータ１０の保守点検作業を行うための装置であり、例えば、乗りかご２０の災害対策用の動作が正常に動作しているか否かを点検するために用いられる。なお、保守装置３６は、機械室８に配置されている。
【００２８】
切替スイッチ部３２は、エレベータ１０の動作モードを通常モードまたは点検モードに切り替えるためのモード切替釦である。通常モードは、エレベータ１０が通常通りの運行を行う動作モードである。点検モードは、エレベータ１０が保守点検のために予め設定された動作モードである。
【００２９】
表示部３４は、かご内カメラ２２が撮影した映像を表示するための表示装置である。また、表示部３４は、保守作業員が映像を見ることで保守点検を行うために好適な画面サイズを有し、また、保守作業員が無理のない姿勢で見ることができる高さ位置に設定される。
【００３０】
本体部３１は、切替スイッチ部３２によって切替られた動作モードを制御盤１８に伝送する。これにより、制御盤１８は当該動作モードに対応した制御を行う。また、本体部３１は、切替スイッチ部３２によって動作モードが通常モードから点検モードへと切り替えられたときに、乗りかご２０内で災害対策用の動作を撮影するように、かご内カメラ２２の撮影位置を変更する。具体的には、かご操作盤２４の表示画面２４２と乗りかご扉２６を好適に撮影可能な位置に変える。
【００３１】
上記構成のエレベータ１０の作用について、図１，２を用いて説明する。図２は、乗りかご２０の災害対策用の動作についての点検を行う手順を示すフローチャートである。エレベータ１０を長期間使用するためには、定期的にエレベータ１０について種々の点検を行う必要がある。以下では、その保守点検作業の１つとして行われる乗りかご２０の災害対策用の動作について点検について説明する。
【００３２】
最初に、保守作業員は、機械室８内において、保守装置３６の切替スイッチ部３２を操作する。具体的には、エレベータ１０の動作モードが通常モードから点検モードに切り替わるように、切替スイッチ部３２を操作する（Ｓ１０）。当該切替スイッチ部３２の操作により、本体部３１からの動作モードに関する情報を受け取った制御盤１８は、点検モードに対応する制御を行う。具体的には、上記災害検知センサに擬似の災害検知信号を与えることで、乗りかご２０の災害対策用の動作をテスト実行させる。
【００３３】
そして、上記乗りかご２０の災害対策用の動作を撮影するために、本体部３１は、切替スイッチ部３２によって動作モードが通常モードから点検モードへと切り替えられたときに、乗りかご２０内で災害対策用の動作を撮影するように、かご内カメラ２２の撮影位置を変更する。具体的には、かご操作盤２４の表示画面２４２と乗りかご扉２６を好適に撮影可能な位置に変える（Ｓ１２）。そして、かご内カメラ２２によって撮影された映像は、機械室８に配置された保守装置３６の表示部３４に表示される。これにより、保守作業員は、表示部３４に表示された映像を見ることで、「乗りかご２０を最寄階に着床しているか？」「乗りかご扉２６及び乗場扉２８と開いているか？」「表示画面２４２に乗客に対する報知のための表示がなされているか？」「乗客に対する報知のための音声案内が流れているか？」といったことを確認することで、乗りかご２０の災害対策用の動作の点検を行うことができる。
【００３４】
そして、保守作業員は、乗りかご２０の災害対策用の動作について点検を終えた後に、再び、保守装置３６について切替スイッチ部３２を操作する。具体的には、エレベータ１０の動作モードが点検モードから通常モードに切り替わるように、切替スイッチ部３２を操作する（Ｓ１４）。これにより、制御盤１８は、通常通りの運行制御を行うため、エレベータ１０の通常運転が復旧する。
【００３５】
このように、保守作業員は、動作モードの切り替え及び乗りかご２０の災害対策用の動作についての映像の確認について機械室８内で行うことができる。したがって、機械室８内で動作モードの切替を行う保守作業員とは別に乗りかご２０の災害対策用の動作についての動作を確認するための保守作業員を手配する必要はない。つまり、一人の保守作業員で点検することができるため、保守の作業効率が向上する。また、機械室８において、乗りかご２０の災害対策用の動作の点検以外の点検、例えば、巻上機１６の点検も行うことができるため保守の作業効率が向上する。
【符号の説明】
【００３６】
８  機械室、１０  エレベータ、１２  主ロープ、１４  釣合錘、１６  巻上機、１８制御盤、２０  乗りかご、２２  かご内カメラ、２３  保守装置、２４  かご操作盤、２６  乗りかご扉、２８  乗場扉、３０  昇降路、３１  本体部、３２  切替スイッチ部、３４  表示部、３６  保守装置、２４２  表示画面。
【図１】
0005761980.tif 000002
【図２】
0005761980.tif 000003